(57)【要約】【課題】樋受金具において、樋の内側樋耳の内側に押し当て樋の外れを防止するばね片を他の構成部分と一体化することにより、製造コストの低減を図ることである。【解決手段】建物２に固定される固定部３と、その固定部３から樋４上部に延び出し該樋４の外側樋耳５に係合される樋受アーム６と、上記樋受アーム６に設けられ樋４の内側樋耳７の内側に押し当てられるばね片２４と、上記固定部３に上記内側樋耳７の外側に係合される係合部８とを有する樋受金具１において、上記ばね片２４を上記樋受アーム６の一部を切起こして形成し、上記ばね片２４を除いた樋受アーム６及び固定部３にそれぞれ補強手段を設けた構成とした。【選択図】　図３
2004019259.tif 000002
【特許請求の範囲】
【請求項１】
建物に固定される固定部と、その固定部から樋上部に延び出し該樋の外側樋耳に係合される樋受アームと、上記樋受アームに設けられ樋の内側樋耳の内側に押し当てられるばね片と、上記固定部に上記内側樋耳の外側に係合される係合部とを有する樋受金具において、上記ばね片を上記樋受アームの一部を切起こして形成し、上記ばね片を除いた樋受アーム及び固定部にそれぞれ補強手段を設けたことを特徴とする樋受金具。
【請求項２】
上記ばね片の起き上がり端部にそのばね片の長さと直角方向の溝を設け、その溝を起点とした弾性変形を可能にしたことを特徴とする請求項１に記載の樋受金具。
【請求項３】
上記固定部に設けられる内側樋耳の係合部を、該固定部の建物側の面から反対側の面に押し出しにより形成したことを特徴とする請求項１又は２に記載の樋受金具。
【発明の詳細な説明】
【０００１】
【発明の属する技術分野】
この発明は、樋受金具に関するものである。
【０００２】
【従来の技術】
一般に、樋受金具は、建物に対する固定部材、その固定部材と一体化され樋上に延び出し該樋の外側樋耳を係止するアーム部材、上記固定部材と一体に設けたれた内側樋耳係止部及び上記アーム部材から内側樋耳係止部の方向に延び出したばね部材とから構成される。
【０００３】
このような樋受金具の部品点数の減少による低コスト化を図るために、前記の固定部材、アーム部材及び内側樋耳係止部材を一部品で構成し、ばね片のみ別部品の板ばねにより構成するようにしたものを、当出願人はすでに特許出願している（特開平１１−５０６１３号公報参照）。
【０００４】
【発明が解決しようとする課題】
上記のばね片は内側樋耳を係止する際に、上方に撓むことにより内側樋耳をその係止部に載せ、その自身の弾性で復帰して内側樋耳の内側に突き当てることにより、内側樋耳の外れを防止する機能を有するものである。このため、ばね片は文字通り弾性が必要である反面、他の部材は所要の強度保持のために所要の厚みをもった材料が用いられていた。その結果、ばね片は別部材で構成せざるを得なかったため、部品点数の低減による製造コストの低減に限界があった。
【０００５】
そこで、この発明は、ばね片と他の部材との一部品化を試み、その製造コストの低減を図ることを課題とする。
【０００６】
【課題を解決するための手段】
前記の課題を解決するために、この発明は、建物に固定される固定部と、その固定部から樋上部に延び出し該樋の外側樋耳に係合される樋受アームと、上記樋受アームに設けられ樋の内側樋耳の内側に押し当てられるばね片と、上記固定部に上記内側樋耳の外側に係合される係合部とを有する樋受金具において、上記ばね片を上記樋受アームの一部を切起こして形成し、上記ばね片を除いた樋受アーム及び固定部にそれぞれ補強手段を設けた構成を採用した。
【０００７】
上記の構成によると、樋受金具を構成する材料の厚さは、ばね片に必要な弾性が得られる程度のものが使用され、固定部や樋受アームに必要な強度はそれぞれに設けられる補強リブ等の補強手段により強化される。その結果、１枚の金属板により、他に構成部品を用いることなく、一つの樋受金具が構成される。
【０００８】
また、上記ばね片の基部そのばね片の長さと直角方向の溝を設け、その溝を起点とした弾性変形を可能にした構成を採ることができる。このような溝を設けることにより、比較的厚い材料の場合でもばね片の弾性変形が可能になる。
【０００９】
なお、上記固定部に設けられる内側樋耳の係合部を、該固定部の建物側の面から反対側の面に押し出しにより形成した構成をとることができる。
【００１０】
【発明の実施の形態】
以下、この発明の実施形態を添付図面に基づいて説明する。図１に示すように、実施形態の樋受金具１は、１枚の鋼板により構成され、建物２（図３参照）に固定される固定部３と、その固定部３の上端部を外向きに屈曲して樋４上部に延び出し該樋４の外側樋耳５に係合される樋受アーム６を設けている。
【００１１】
上記の固定部３は、中央部分に内側樋耳７の係止部８が外方に突き出して設けられる。この係止部８は、図２（ａ）〜（ｄ）に示すように、水平の所定長さの切り目９を設けるとともに、その上部に支点１１を定めて矢印のように押し出て塑性変形することにより形成されたものである。この押し出しにより、係止部８の先端から前記切り目９の両端部に至る傾斜辺１０が規制される。
【００１２】
上記の係止部８の両側に上下方向の溝状の補強リブ１２，１２が上端の屈曲部を越えて樋受アーム６の固定側端部に至る範囲に設けられる。また、各補強リブ１２の外側に釘１３で固定するための孔１４、１４が設けられる。
【００１３】
前記の樋受アーム６は、固定部３側が固定部３と同じ幅で形成され最も広く、中央部１５までの間において次第に幅が狭くなり、中央部１５から先端部までは同じ幅に形成される。その先端部に上向きの屈曲部１６が設けられ、その屈曲部１６により、樋４の外側樋耳５と内側樋耳７との高さの差に対応している。またその屈曲部１６の先端に係止片１７が屈曲形成される。
【００１４】
上記の樋受アーム６は、前記の固定側端部から中央部１５までの間において、中央部１５側が狭くなる変形四角形の開口１８が設けられ、その開口１８の両側において同幅の分岐アーム６ａ、６ａが設けられる。各分岐アーム６ａの中程において緩やかな屈曲部１９、１９が設けられ、その屈曲部１９、１９から中央部１５までの間が傾斜面となっている。
【００１５】
上記の樋受アーム６の両側辺には、前記の固定部３側の端部から先端の係止片１７に至るまでの間において、下向きに屈曲された補強縁２１、２１が設けられる。また、上記の分岐アーム６ａ、６ａが水平の中央部１５に連続する部分に屈曲部２２、２２が設けられる。その屈曲部２２、２２の相互間、即ち、前記開口１８の短辺の中間部に、半円弧状の溝２３を介してばね片２４が設けられる。
【００１６】
このばね片２４は、いわゆる切起こしにより形成されたものであるが、この場合は、一般の切起こしと相違して、切起こしにより残存する孔はそのばね片２４の幅より大きい前述の開口１８である。
【００１７】
ばね片２４はその基部の溝２３の部分で若干下方に傾斜され、その先端部が前記の係止片１８に接近している。また、その前端部に受け向きの屈曲片２５が設けられる。
【００１８】
実施形態の樋受金具は以上のようものであり、次にその作用について説明する。図４に示すように、所要数の樋受金具１を建物２の軒下に固定し、その後、樋４を取付ける。樋４の外側樋耳５を係止片１７に係止したのち、内側樋耳７を係止部８の傾斜辺１０で案内しつつばね片２４の先端部に押し当て、該ばね片２４を押し上げる。ばね片２４は溝２３の部分で弾性変形して押し上げられ（図４の一点鎖線参照）、内側樋耳７が係止部８より高い位置まで達すると、内側樋耳７は樋４のもつ弾性により外方に移動し係止部８上に載る。
【００１９】
内側樋耳７が係止部８上に載ると、ばね片２４は元の状態に復帰し、その先端の屈曲片２５で該内側樋耳７の内面に押し当てられる（図３参照）。内側樋耳７はばね片２４を押し上げない限り係止部８から外れることはない。樋４の荷重はは樋受アーム６に直接作用するが、樋受アーム６はその全長に渡る補強縁２１、２１と、基部における補強リブ１２、１２により補強され、また、固定部３においては補強リブ１２、１２より補強されるので、その荷重に十分耐えることができる。また、樋４の長さ方向の振動に対しては、比較的幅広に形成された固定部３により支持される。
【００２０】
【発明の効果】
以上のように、この発明によると、従来別部材で形成されていたばね片を樋受けアームと一体に形成することができるので、結局、固定部、樋受アーム、内外の樋耳係止部とともに、ばね片を一体の部材により構成できるため、独立したばね部品が不要となる。このため、樋受金具の製造コストの低減を図ることができる。
【図面の簡単な説明】
【図１】実施形態の斜視図
【図２】（ａ）〜（ｄ）　係止部の製作過程の説明図
【図３】同上の使用状態の断面図
【図４】同上の樋の係止時の断面図
【符号の説明】
１　樋受金具
２　建物
３　固定部
４　樋
５　外側樋耳
６　樋受アーム
６ａ　分岐アーム
７　内側樋耳
８　係止部
９　切り目
１０　傾斜辺
１１　支点
１２　補強リブ
１３　釘
１４　孔
１５　中央部
１６　屈曲部
１７　係止片
１８　開口
１９　屈曲部
２１　補強縁
２２　屈曲部
２３　溝
２４　ばね片
２５　屈曲片
【図１】
2004019259.tif 000003
【図２】
2004019259.tif 000004
【図３】
2004019259.tif 000005
【図４】
2004019259.tif 000006